(57)【要約】【課題】観察される映像の状態を容易に調整でき、常に良好な品質で映像を観察できる眼鏡装着型画像表示装置を提供する。【解決手段】接眼光学部28と、表示素子23を含む映像射出部21とを眼鏡10に分離して保持し、表示素子23に表示される映像を、接眼光学部28を経て観察者の対応する眼球30で観察するようにした眼鏡装着型画像表示装置において、接眼光学部28に対する表示素子23の相対位置を調整する調整手段(14,15, 24,25x,25y)を備える。【選択図】図１
2010226661.tif 000002
【特許請求の範囲】
【請求項１】
接眼光学部と、表示素子を含む映像射出部とを眼鏡に分離して保持し、前記表示素子に表示される映像を、前記接眼光学部を経て観察者の対応する眼球で観察するようにした眼鏡装着型画像表示装置において、
前記接眼光学部に対する前記表示素子の相対位置を調整する調整手段を備える、ことを特徴とする眼鏡装着型画像表示装置。
【請求項２】
前記調整手段は、前記接眼光学部に対する前記映像射出部の相対位置を調整する映像射出部調整機構を有する、ことを特徴とする請求項１に記載の眼鏡装着型画像表示装置。
【請求項３】
前記映像射出部調整機構は、前記眼鏡のヒンジ部を基準に前記映像射出部を位置調整するように構成されている、ことを特徴とする請求項２に記載の眼鏡装着型画像表示装置。
【請求項４】
前記調整手段は、前記映像射出部の筐体に対する前記表示素子の相対位置を調整する表示素子調整機構を有する、ことを特徴とする請求項１乃至３のいずれか一項に記載の眼鏡装着型画像表示装置。
【請求項５】
前記映像射出部は、前記眼鏡に着脱自在に保持されるように構成されている、ことを特徴とする請求項１乃至４のいずれか一項に記載の眼鏡装着型画像表示装置。
【請求項６】
前記表示素子からの映像光を前記接眼光学部に導光する導光部を有し、
前記接眼光学部および前記導光部は、一体的に前記眼鏡に着脱自在に保持されるように構成されている、ことを特徴とする請求項１乃至５のいずれか一項に記載の眼鏡装着型画像表示装置。
【請求項７】
前記接眼光学部を含む前記導光部の少なくとも導光先端部分における前記観察者の視軸方向への投影断面の幅が、前記眼球の瞳孔の直径よりも小さい４ｍｍ以下である、ことを特徴とする請求項６に記載の眼鏡装着型画像表示装置。
【請求項８】
前記導光部は、前記観察者の視軸方向への投影断面の幅が、前記表示素子から映像光が入射する入射端部側から、前記接眼光学部へ映像光を射出する射出端部側に向けて小さくなるテーパ形状を有することを特徴とする請求項６または７に記載の眼鏡装着型画像表示装置。
【発明の詳細な説明】
【技術分野】
【０００１】
本発明は、眼鏡装着型画像表示装置に関するものである。
【背景技術】
【０００２】
従来、眼鏡装着型画像表示装置として、例えば、表示素子を含む映像射出部と接眼光学部とを別体とし、映像射出部は眼鏡のテンプル側に保持し、接眼光学部はレンズ側に保持して、表示素子に表示される映像の映像光を、前記接眼光学部を経て観察者の対応する眼球に入射させるようにした、いわゆる分離型のものが知られている（例えば、特許文献１，２参照）。
【先行技術文献】
【特許文献】
【０００３】
【特許文献１】特開２００１−６６５４４号公報
【特許文献２】特開２００５−３５２０２４号公報
【発明の概要】
【発明が解決しようとする課題】
【０００４】
上述したような分離型の眼鏡装着型画像表示装置において、表示素子による映像を観察者が適切な位置で観察するには、表示素子と接眼光学部とが適切な相対位置関係で保持されていることが重要である。
【０００５】
しかしながら、長期間の使用等によりアライメントが許容範囲から外れる場合が想定される。また、観察者の頭部寸法は、頭幅、瞳孔距離（眼幅）、耳から眼球までの距離等に個人差がある。このため、アライメントは許容範囲を満たしていても、観察者によっては、装着状態において、表示素子と接眼光学部とのアライメントが許容範囲から外れる場合が想定される。
【０００６】
このように、表示素子と接眼光学部とのアライメントが許容範囲から外れると、対応する眼球の視軸と接眼光学部の光軸とのずれが大きくなって、接眼光学部による視野範囲に表示素子による表示画面が適切に配置されず、表示素子の全画面を観察できない場合が生じたり、観察される映像のフォーカスがずれたりする等、観察される映像の品質が低下することが懸念される。
【０００７】
したがって、かかる点に鑑みてなされた本発明の目的は、観察される映像の状態を容易に調整でき、常に良好な品質で映像を観察できる眼鏡装着型画像表示装置を提供することにある。
【課題を解決するための手段】
【０００８】
上記目的を達成する第１の観点に係る眼鏡装着型画像表示装置の発明は、
接眼光学部と、表示素子を含む映像射出部とを眼鏡に分離して保持し、前記表示素子に表示される映像を、前記接眼光学部を経て観察者の対応する眼球で観察するようにした眼鏡装着型画像表示装置において、
前記接眼光学部に対する前記表示素子の相対位置を調整する調整手段を備える、ことを特徴とするものである。
【０００９】
第２の観点に係る発明は、第１の観点に係る眼鏡装着型画像表示装置において、
前記調整手段は、前記接眼光学部に対する前記映像射出部の相対位置を調整する映像射出部調整機構を有する、ことを特徴とするものである。
【００１０】
第３の観点に係る発明は、第２の観点に係る眼鏡装着型画像表示装置において、
前記映像射出部調整機構は、前記眼鏡のヒンジ部を基準に前記映像射出部を位置調整するように構成されている、ことを特徴とするものである。
【００１１】
第４の観点に係る発明は、第１乃至３のいずれか一の観点に係る眼鏡装着型画像表示装置において、
前記調整手段は、前記映像射出部の筐体に対する前記表示素子の相対位置を調整する表示素子調整機構を有する、ことを特徴とするものである。
【００１２】
第５の観点に係る発明は、第１乃至４のいずれか一の観点に係る眼鏡装着型画像表示装置において、
前記映像射出部は、前記眼鏡に着脱自在に保持されるように構成されている、ことを特徴とするものである。
【００１３】
第６の観点に係る発明は、第１乃至５のいずれか一の観点に係る眼鏡装着型画像表示装置において、
前記表示素子からの映像光を前記接眼光学部に導光する導光部を有し、
前記接眼光学部および前記導光部は、一体的に前記眼鏡に着脱自在に保持されるように構成されている、ことを特徴とするものである。
【００１４】
第７の観点に係る発明は、第６の観点に係る眼鏡装着型画像表示装置において、
前記接眼光学部を含む前記導光部の少なくとも導光先端部分における前記観察者の視軸方向への投影断面の幅が、前記眼球の瞳孔の直径よりも小さい４ｍｍ以下である、ことを特徴とするものである。
【００１５】
第８の観点に係る発明は、第６または７の観点に係る眼鏡装着型画像表示装置において、
前記導光部は、前記観察者の視軸方向への投影断面の幅が、前記表示素子から映像光が入射する入射端部側から、前記接眼光学部へ映像光を射出する射出端部側に向けて小さくなるテーパ形状を有することを特徴とするものである。
【発明の効果】
【００１６】
本発明によれば、接眼光学部に対する表示素子の相対位置を調整する調整手段を設けたので、観察される映像の状態を容易に調整でき、常に良好な品質で映像を観察することが可能となる。
【図面の簡単な説明】
【００１７】
【図１】本発明の第１実施の形態に係る眼鏡装着型画像表示装置の要部の構成を示す概略斜視図である。
【図２】図１に示した観察光学部の構成を示す図である。
【図３】図１に示した観察光学部の観察者の視軸方向への投影断面の幅と瞳孔径との関係を示す図である。
【図４】図１に示した眼鏡装着型画像表示装置による表示画面のＸ方向の調整法を説明するための模式図である。
【図５】図１に示した眼鏡装着型画像表示装置による表示画面のＹ方向の調整法を説明するための模式図である。
【図６】本発明の第２実施の形態に係る眼鏡装着型画像表示装置の要部の構成を示す概略斜視図である。
【図７】図６に示した映像射出部の要部斜視図である。
【図８】図６に示した映像射出部を上面および側面からみたそれぞれの概略断面図である。
【図９】本発明に係る眼鏡装着型画像表示装置の変形例を説明するための模式図である。
【発明を実施するための形態】
【００１８】
以下、本発明の実施の形態について、図を参照して説明する。
【００１９】
（第１実施の形態）
図１は、本発明の第１実施の形態に係る眼鏡装着型画像表示装置の要部の構成を示す概略斜視図である。この眼鏡装着型画像表示装置２０は、眼鏡１０に着脱自在に装着可能な右眼タイプのもので、映像射出部２１と、該映像射出部２１から分離された観察光学部２２とを有する。映像射出部２１には、観察すべき画像を表示する液晶表示素子や有機ＥＬ素子等の表示素子２３が搭載されている。この映像射出部２１は、取り付け部材２４を介して眼鏡１０の右側のテンプル１１側に保持されて、表示素子２３に表示された映像の映像光を観察光学部２２に入射させるようになっている。
【００２０】
本実施の形態では、取り付け部材２４にアーム部２４ａを設け、このアーム部２４ａに映像光の射出方向（Ｚ方向）に延在する長孔２４ｂを形成する。そして、この長孔２４ｂに、眼鏡１０の右側の鎧（智）１２とテンプル１１とを回動可能に連結するヒンジ部（蝶番）１３のビス１４を通して、ビス１４にナット１５を螺合することにより、アーム部２４ａをヒンジ部１３のテンプル１１側に支持する。これにより、映像射出部２１を、Ｚ方向における位置を調整可能に支持するとともに、Ｚ方向の各位置において、ビス１４の軸方向（Ｙ方向）を中心とする両矢印Ｃで示す方向に回動可能として、映像光の射出方向を調整可能とする。
【００２１】
また、取り付け部材２４は、映像射出部２１の取り付け部２４ｃを、映像射出部２１の上面および内側面と対向する少なくとも２面を有する形状として、その内側面に、Ｙ方向に延在する長孔２４ｄを形成するとともに、上面には、Ｚ方向およびＹ方向に直交する方向（Ｘ方向）に延在する長孔２４ｅを形成する。そして、これら長孔２４ｄ，２４ｅを通して、映像射出部２１にそれぞれ調整用送りねじ２５ｘ，２５ｙを係合させる。
【００２２】
これにより、調整用送りねじ２５ｘを回すことにより映像射出部２１をＸ方向に移動可能とし、調整用送りねじ２５ｙを回すことにより映像射出部２１をＹ方向に移動可能として、映像射出部２１を取り付け部材２４に対してＸ方向およびＹ方向に位置調整可能に保持する。なお、映像射出部２１には、必要に応じて、調整用送りねじ２５ｘ，２５ｙのそれぞれの回転により、映像射出部２１をＸ方向およびＹ方向に平行に移動させる公知のガイド機構を設ける。
【００２３】
観察光学部２２は、プラスチック等からなる筐体２２ａを有し、筐体２２ａに設けられたクリップ式のホルダ２６により、観察者の右眼球の視野内に延在するように、右眼側のレンズ１６に着脱自在に保持される。筐体２２ａには、観察者に面する側の一端部側に入射窓２２ｂが形成され、他端部側に射出窓２２ｃが形成されており、内部には、図２に示すように、プラスチックやガラス等のプリズムからなる導光部２７と接眼光学部２８とが収納されて、観察者が接眼光学部２８に右眼球の視軸を向けられるようにレンズ１６に保持される。なお、必要に応じて、筐体２２ａにアームの一端部を取り付け、このアームの他端部をヒンジ部１３にビス１４で固定するようにしてもよい。
【００２４】
観察光学部２２は、映像射出部２１の表示素子２３から射出された映像光を、入射窓２２ｂを通して導光部２７の一端部側から入射し、該導光部２７内で複数回反射させて他端部側から射出し、この導光部２７から射出された映像光を、エアギャップを介して接眼光学部２８に入射させることにより、射出窓２２ｃを通して観察者の眼球（この場合、右眼球）３０に向けて射出するようになっている。これにより、観察者は、視線を接眼光学部２８が位置する射出窓２２ｃに向けることで、映像射出部２１の表示素子２３に表示された映像の拡大虚像が観察可能となる。
【００２５】
なお、図２では、プリズムからなる導光部２７において、映像光を入射側および射出側の斜面の他に、平行な光学面でも反射させるようにしているが、導光部２７は、平行な光学面では映像光を反射させることなく導光するように構成することも可能である。この場合は、接眼光学部２８を、エアギャップを介することなく導光部２７に接合することが可能である。したがって、この場合は、筐体２２ａを要することなく、導光部２７にクリップ式のホルダを保持し、このホルダを介してレンズ１６に保持することも可能である。
【００２６】
また、本実施の形態では、観察光学部２２がシースルーとなって外界が見えるようにするため、観察光学部２２の観察者の視軸方向への投影断面の幅を、図３に示す上下方向において、ヒトの通常照明環境での瞳孔３０ａの直径よりも小さい４ｍｍ以下としている。さらに、十分な明るさの映像を観察可能とするため、導光部２７を、観察者の視軸方向への投影断面の幅が、映像光の入射端部側から射出端部側に向けて小さくなるテーパ形状としている。このようにテーパ形状とすることで、接眼光学部２８をより細くすることができ、シースルー効果を高めることができる。また、眼球３０と接眼光学部２８の光軸とがズレた場合でも、導光部２７の入射端部が太いことで入射部開口によるケラレが発生しにくくできる利点がある。さらには、導光部２７の入射部開口に合わせた、より広い範囲で映像射出部２１または表示素子２３の位置調整が可能となる。
【００２７】
上述したように、本実施の形態に係る眼鏡装着型画像表示装置２０は、映像射出部２１が、映像光の射出方向であるＺ方向、ヒンジ部１３のビス１４の軸方向であるＹ方向（上下方向）、Ｚ方向およびＹ方向に直交するＸ方向（左右方向）、並びに、Ｙ方向と平行な軸を回動中心とＣ方向に、それぞれヒンジ部１３を基準として位置調整可能にテンプル１１側に保持されている。
【００２８】
したがって、例えば、接眼光学部２８による視野範囲で観察される表示画面が前後に傾いている場合は、映像射出部２１を、ヒンジ部１３のビス１４を中心に、すなわちヒンジ部１３を基準にＣ方向に回動させて、導光部２７の入射面に対する映像光の入射角度を調整することにより、傾きを補正することができる。また、観察される映像がデフォーカスの場合は、取り付け部材２４のアーム部２４ａに形成された長孔２４ｂに沿って映像射出部２１を、ヒンジ部１３を基準にＺ方向に移動させることにより、観察される映像のフォーカスを調整することができる。
【００２９】
また、観察される表示画面が視野範囲でＸ方向にずれている場合は、取り付け部材２４のアーム部２４ａがヒンジ部１３に固定された状態で、調整用送りねじ２５ｘを回して映像射出部２１をヒンジ部１３を基準にＸ方向に移動させることにより、表示画面をＸ方向の中央部に調整することができる。同様に、観察される表示画面が視野範囲でＹ方向にずれている場合は、アーム部２４ａがヒンジ部１３に固定された状態で、調整用送りねじ２５ｙを回して映像射出部２１をヒンジ部１３を基準にＹ方向に移動させることにより、表示画面をＹ方向の中央部に調整することができる。
【００３０】
図４（ａ）〜（ｃ）は、図１に示した眼鏡装着型画像表示装置２０による表示画面のＸ方向（水平方向）の調整法を説明するための模式図である。図４（ａ）〜（ｃ）では、表示素子２３に表示される映像の映像光を光線逆追跡法により示している。また、図４（ａ）〜（ｃ）には、接眼光学部２８による視野範囲２８ａでの表示素子２３の表示画面２３ａも同時に示している。ただし、図４（ａ）〜（ｃ）において、Ｙ方向（上下方向）における眼球３０の視軸と接眼光学部２８の光軸とは一致しているものとする。なお、接眼光学部２８による視野範囲２８ａは、瞳孔形状によって円形となっている。また、表示素子２３は、接眼光学部２８による視野範囲２８ａで観察可能な画面サイズの表示画面２３ａを有している。
【００３１】
図４（ａ）に示すように、Ｘ方向において、眼球３０の視軸と接眼光学部２８の光軸とが一致した適正状態の場合は、映像光にケラレが生じないので、接眼光学部２８による視野範囲２８ａに、表示素子２３の表示画面２３ａの全てが表示される。
【００３２】
これに対し、接眼光学部２８の光軸が眼球３０の視軸に対して、図４（ｂ）に示すように外側にずれた場合は、接眼光学部２８による視野範囲２８ａに表示される表示素子２３の表示画面２３ａも外側にずれるため、表示画面２３ａの外側部分の映像光にケラレが生じて、その部分の画像が観察できなくなる。このような場合は、調整用送りねじ２５ｘを回して映像射出部２１をＸ方向内側に移動させることにより、図４（ｂ）に破線で示すように、表示画面２３ａを視野範囲２８ａの中央部に調整することができる。
【００３３】
同様に、接眼光学部２８の光軸が眼球３０の視軸に対して、図４（ｃ）に示すように内側にずれた場合は、接眼光学部２８による視野範囲２８ａに表示される表示素子２３の表示画面２３ａも内側にずれるため、表示画面２３ａの内側部分の映像光にケラレが生じて、その部分の画像が観察できなくなる。このような場合は、調整用送りねじ２５ｘを回して映像射出部２１をＸ方向外側に移動させることにより、図４（ｃ）に破線で示すように、表示画面２３ａを視野範囲２８ａの中央部に調整することができる。
【００３４】
図５（ａ）〜（ｃ）は、図１に示した眼鏡装着型画像表示装置２０による表示画面のＹ方向（上下方向）の調整法を説明するための模式図で、図４（ａ）〜（ｃ）と同様に、表示素子２３に表示される映像の映像光を光線逆追跡法により示している。ただし、図５（ａ）〜（ｃ）において、Ｘ方向（左右方向）における眼球３０の視軸と接眼光学部２８の光軸とは一致しているものとする。
【００３５】
図５（ａ）に示すように、Ｙ方向において、眼球３０の視軸と接眼光学部２８の光軸とが一致した適正状態の場合は、映像光にケラレが生じないので、接眼光学部２８による視野範囲２８ａに、表示素子２３の表示画面２３ａの全てが表示される。
【００３６】
これに対し、接眼光学部２８の光軸が眼球３０の視軸に対して、図５（ｂ）に示すように下側にずれた場合は、接眼光学部２８による視野範囲２８ａに表示される表示素子２３の表示画面２３ａも下側にずれるため、表示画面２３ａの下側部分の映像光にケラレが生じて、その部分の画像が観察できなくなる。このような場合は、調整用送りねじ２５ｙを回して映像射出部２１をＹ方向上側に移動させることにより、図５（ｂ）に破線で示すように、表示画面２３ａを視野範囲２８ａの中央部に調整することができる。
【００３７】
同様に、接眼光学部２８の光軸が眼球３０の視軸に対して、図５（ｃ）に示すように上側にずれた場合は、接眼光学部２８による視野範囲２８ａに表示される表示素子２３の表示画面２３ａも上側にずれるため、表示画面２３ａの上側部分の映像光にケラレが生じて、その部分の画像が観察できなくなる。このような場合は、調整用送りねじ２５ｙを回して映像射出部２１をＹ方向下側に移動させることにより、図５（ｃ）に破線で示すように、表示画面２３ａを視野範囲２８ａの中央部に調整することができる。
【００３８】
したがって、本実施の形態においては、取り付け部材２４、ビス１４、ナット１５、調整用送りねじ２５ｘ，２５ｙを含んで、接眼光学部２８に対する映像射出部２１の相対位置を調整する映像射出部調整機構を構成し、この映像射出部調整機構により、接眼光学部２８に対する表示素子２３の相対位置を調整する調整手段を構成している。
【００３９】
ここで、Ｘ方向やＹ方向における表示素子２３の移動量Ｓ、すなわち映像射出部２１の移動量Ｓは、接眼光学部２８の光軸と眼球３０の視軸とのすれ角をθ、接眼光学部２８の焦点距離をｆとすると、Ｓ＝ｆ×tanθ、により概算される。したがって、例えば、ｆ＝３０ｍｍ、θ＝２°とすると、Ｓ≒１．０５ｍｍとなるので、映像射出部２１をＸ方向やＹ方向に１ｍｍ程度シフトさせることにより、表示画面２３ａを視野範囲２８ａの適正位置に合わせることができる。
【００４０】
以上のように、本実施の形態に係る眼鏡装着型画像表示装置２０は、映像射出部２１を、映像光の射出方向であるＺ方向、ヒンジ部１３のビス１４の軸方向であるＹ方向（上下方向）、Ｚ方向およびＹ方向に直交するＸ方向（左右方向）、並びに、Ｙ方向と平行な軸を回動中心とするＣ方向に、それぞれヒンジ部１３を基準に位置調整可能にテンプル１１側に保持している。したがって、映像射出部２１と観察光学部２２とのレイアウト状態や、観察者の眼幅や頭幅の差異等により、表示素子２３の全画面を観察できなかったり、観察される映像がデフォーカスであったり、傾斜していたりした場合は、映像射出部２１をヒンジ部１３を基準に位置調整することにより、観察される映像の状態を容易かつ精度良く位置調整でき、常に良好な品質で映像を観察することができる。
【００４１】
しかも、ヒンジ部１３は、殆どの眼鏡に設けられており、その場所も眼鏡レンズの外側後方で大きく異なることはない。また、ヒンジ部１３は、もともとビスで固定される部分であるので、このヒンジ部１３を利用することにより、映像射出部２１を位置調整可能に簡単に取り付けることができ、これにより、ヒンジ部１３を基準に容易かつ精度良く位置合わせすることが可能となる。なお、Ｘ方向の調整を行う取り付け部２４ｃの長孔２４ｄおよび調整用送りねじ２５ｘは、映像射出部２１の外側面側に設けてもよい。この場合は、調整操作がより容易になる利点がある。
【００４２】
（第２実施の形態）
図６は、本発明の第２実施の形態に係る眼鏡装着型画像表示装置の要部の構成を示す概略斜視図である。この眼鏡装着型画像表示装置４０は、図１に示した構成において、映像射出部２１を取り付け部材２４の取り付け部２４ｃに固定し、表示素子２３を映像射出部２１の筐体２１ａに対して、Ｘ方向およびＹ方向にそれぞれ位置調整可能に保持したものである。
【００４３】
このため、映像射出部２１には、図７に要部斜視図を示すように、筐体２１ａの内側面に、Ｙ方向に延在する長孔２１ｂを形成するとともに、底面には、Ｘ方向に延在する長孔２１ｃを形成する。また、図８（ａ）および（ｂ）に、映像射出部２１を上面および側面からみた概略断面図をそれぞれ示すように、表示素子２３は、支持部材４１を介して移動ステージ４２に支持し、この移動ステージ４２に、筐体２１ａに形成した長孔２１ｂ，２１ｃを通して、調整用送りねじ４３ｘ，４３ｙを係合させる。
【００４４】
これにより、調整用送りねじ４３ｘを回すことにより表示素子２３をＸ方向に移動可能とし、調整用送りねじ４３ｙを回すことにより表示素子２３をＹ方向に移動可能として、表示素子２３を映像射出部２１の筐体２１ａに対してＸ方向およびＹ方向に位置調整可能に保持する。なお、移動ステージ４２には、必要に応じて、調整用送りねじ４３ｘ，４３ｙのそれぞれの回転により、表示素子２３をＸ方向およびＹ方向に平行に移動させる公知のガイド機構を設ける。その他の構成は、第１実施の形態と同様であるので、同一構成要素には同一参照符号を付して説明を省略する。
【００４５】
したがって、本実施の形態においては、取り付け部材２４、ビス１４、ナット１５を含んで、ヒンジ部１３を基準に接眼光学部２８に対する映像射出部２１の相対位置を調整する映像射出部調整機構を構成し、支持部材４１、移動ステージ４２、調整用送りねじ４３ｘ，４３ｙを含んで、映像射出部２１の筐体２１ａに対する表示素子２３の相対位置を調整する表示素子調整機構を構成し、これら映像射出部調整機構および表示素子調整機構により、接眼光学部２８に対する表示素子２３の相対位置を調整する調整手段を構成している。
【００４６】
本実施の形態に係る眼鏡装着型画像表示装置４０によれば、調整用送りねじ４３ｘ，４３ｙを回すことにより、図４および図５において説明したように、表示素子２３の表示画面２３ａの全体が、接眼光学部２８による視野範囲２８ａに位置するように、表示素子２３のＸ方向およびＹ方向の位置を容易に調整することができる。したがって、第１実施の形態の場合と同様の効果を得ることができる。
【００４７】
特に、本実施の形態の場合は、映像射出部２１の筐体２１ａに対して、表示素子２３をＸ方向およびＹ方向に移動可能に構成するので、映像射出部２１を移動可能に構成する第１実施の形態の場合と比較して、可動部が軽量となり、移動機構を簡単にできる利点がある。なお、本実施の形態においても、Ｘ方向の調整を行う長孔２１ｂおよび調整用送りねじ４３ｘは、映像射出部２１の外側面側に設けて、調整操作をより容易に行い得るようにすることもできる。
【００４８】
本発明は、上記実施の形態にのみ限定されるものではなく、幾多の変形または変更が可能である。例えば、映像射出部および接眼光学部は、眼鏡に対して着脱自在に構成する場合に限らず、例えば、特許文献１，２に開示されているように、眼鏡レンズ側にミラーやホログラムからなる接眼光学部を固定的に設け、テンプル側に表示素子を含む映像射出部を固定的に設けた分離型からなる眼鏡一体型の表示装置にも、本発明を有効に適用することができる。
【００４９】
また、本発明は、映像射出部と接眼光学部とが眼鏡に分離して保持される眼鏡装着型画像表示装置に広く適用できるものである。したがって、接眼光学部は、観察者が視軸を向けられるレンズ側に位置して保持される形態であればよく、また、映像射出部は、接眼光学部から分離して保持される形態であれば、眼鏡の任意の位置、例えば、接眼光学部が位置するレンズや、該レンズを固定するリム、あるいは鎧やテンプル等に保持されていてもよい。
【００５０】
さらに、第１実施の形態では、映像射出部調整機構を、Ｘ方向、Ｙ方向、Ｚ方向、およびＣ方向に調整可能に構成したが、いずれか一つの方向または任意の組み合わせからなる複数の方向に調整可能に構成することもできる。また、第２実施の形態において、表示素子調整機構は、Ｘ方向およびＹ方向の少なくとも一方とし、映像射出部調整機構については省略するか、あるいはＺ方向またはＣ方向のいずれか一方として、調整手段を構成することもできる。また、本発明は、右眼タイプに限らず、左眼タイプとして構成することもできる。
【００５１】
また、上記実施の形態では、観察光学部２２の観察者の視軸方向への投影断面の幅を、全体に亘って４ｍｍ以下としたが、接眼光学部２８を含む導光部２７の導光先端部分のみを４ｍｍ以下として、シースルー機能を持たせることもできる。また、導光部２７は、映像光の入射端部側から射出端部側に向けて先細りとなるテーパ形状に限らず、図９に模式図を示すように、表示素子２３の表示可能画面サイズからの映像光を入射可能に、入射端部側から射出端部側に向けて一様な大きさとすることもできる。勿論、この場合も、観察者の視軸方向への投影断面の幅を、４ｍｍ以下として、シースルー機能を持たせることもできる。さらに、シースルー機能を持たせることなく、観察光学部２２を形成することもできる。
【符号の説明】
【００５２】
１０  眼鏡
１１  テンプル
１３  ヒンジ部
１４  ビス
１５  ナット
１６  レンズ
２０  眼鏡装着型画像表示装置
２１  映像射出部
２１ａ  筐体
２１ｂ，２１ｃ  長孔
２２  観察光学部
２３  表示素子
２４  取り付け部材
２４ａ  アーム部
２４ｂ，２４ｄ，２４ｅ  長孔
２４ｃ  取り付け部
２５  調整用送りねじ
２６  ホルダ
２７  導光部
２８  接眼光学部
３０  眼球
３０ａ  瞳孔
２８ａ  視野範囲
２３ａ  表示画面
４０  眼鏡装着型画像表示装置
４２  移動ステージ
４３ｘ，４３ｙ  調整用送りねじ
【図１】
2010226661.tif 000003
【図２】
2010226661.tif 000004
【図３】
2010226661.tif 000005
【図４】
2010226661.tif 000006
【図５】
2010226661.tif 000007
【図６】
2010226661.tif 000008
【図７】
2010226661.tif 000009
【図８】
2010226661.tif 000010
【図９】
2010226661.tif 000011